(57)【要約】本発明は、基本波長レーザ光を生成するように構成された基本レーザ光源と、上記基本レーザ光源から基本レーザ光を受けるように構成された光学結晶であって、上記光学結晶は、上記受けた基本レーザ光の一部を別の波長光へと周波数変換することにより、別の波長光を生成するように構成される、光学結晶と、補助波長光を生成するように構成された補助光源であって、上記補助波長光の波長は、上記基本波長レーザ光および上記別の波長光と異なり、上記基本レーザ光源および上記補助光源は、上記基本レーザ光が上記補助光と共に上記光学結晶の表面を通じて共伝搬するように配置される、補助光源と、光学結晶によって散乱された基本波長レーザ光、上記光学結晶によって散乱された別の波長光、または上記光学結晶によって散乱された補助光のうち少なくとも１つを検出するように構成された検出器とを含む。
2014502367.tif 000002
【特許請求の範囲】
【請求項１】
結晶位置寿命監視を用いたレーザ周波数変換のための装置であって、
基本波長レーザ光を生成するように構成された基本レーザ光源と、
前記基本レーザ光源からの基本レーザ光を受けるように構成された少なくとも１つの光学結晶であって、前記少なくとも１つの光学結晶は、前記受けた基本レーザ光のうち少なくとも一部を別の波長光へと周波数変換することにより、別の波長光を生成するように構成される少なくとも１つの光学結晶と、
補助波長光を生成するように構成された補助光源であって、前記補助波長光の波長は、前記基本波長レーザ光の波長および前記別の波長光の波長と異なり、前記基本レーザ光源および前記補助光源は、少なくとも基本レーザ光の一部が補助光のうち少なくとも一部と共に前記光学結晶の１つ以上の表面を通じて実質的に共伝搬するように配置される補助光源と、
前記光学結晶によって散乱された基本波長レーザ光、前記光学結晶によって散乱された別の波長光、または前記光学結晶によって散乱された補助光のうち少なくとも１つを検出するように構成された検出器と、
を含む、装置。
【請求項２】
前記検出器へ通信可能に接続されたコンピュータシステムであって、前記コンピュータシステムは、
前記検出器から１つ以上の検出結果を受信するステップと、
前記受信された１つ以上の検出結果と選択された１組の較正基準データとを比較することにより、結晶位置損傷のレベルを決定するステップと、
を行うように構成されるコンピュータシステム、
をさらに含む、請求項１に記載の装置。
【請求項３】
前記コンピュータシステムへと通信可能に接続された多軸平行移動制御システムであって、前記多軸平行移動制御システムは、前記コンピュータシステムから受信された１つ以上の命令信号に応答して、前記少なくとも１つの光学結晶を平行移動させるように構成される多軸平行移動制御システム、
をさらに含む、請求項２に記載の装置。
【請求項４】
前記補助光源はレーザ光源を含む、請求項１に記載の装置。
【請求項５】
前記光学結晶と前記検出器との間に配置された１つ以上の集光要素であって、前記１つ以上の集光要素は、前記光学結晶によって散乱された基本波長レーザ光、前記光学結晶によって散乱された別の波長光、または前記光学結晶によって散乱された補助光のうち少なくとも１つを収集するように構成される１つ以上の集光要素、
をさらに含む、請求項１に記載の装置。
【請求項６】
前記光学結晶と前記検出器との間に配置された１つ以上の中間集束要素であって、前記１つ以上の中間集束要素は、前記光学結晶によって散乱された基本波長レーザ光、前記光学結晶によって散乱された別の波長光、または前記光学結晶によって散乱された補助光のうち少なくとも１つを中間焦点へと集束させるように構成される１つ以上の中間集束要素、
をさらに含む、請求項１に記載の装置。
【請求項７】
前記中間焦点の位置に配置されたアパチャであって、前記アパチャは、前記検出器における光学濃度を制限するように構成されるアパチャ、
をさらに含む、請求項６に記載の装置。
【請求項８】
前記光学結晶と前記検出器との間に配置された１つ以上のフィルタであって、前記１つ以上のフィルタは、前記光学結晶によって散乱された補助光を通過させるように構成される１つ以上のフィルタ、
をさらに含む、請求項１に記載の装置。
【請求項９】
結晶位置寿命監視を用いたレーザ周波数変換のための装置であって、
基本波長レーザ光を生成するように構成された基本レーザ光源と、
前記基本レーザ光源からの基本レーザ光を受けるように構成された少なくとも１つの光学結晶であって、前記少なくとも１つの光学結晶は、前記受けた基本レーザ光のうち少なくとも一部を別の波長光へと周波数変換することにより、別の波長光を生成するように構成される少なくとも１つの光学結晶と、
前記光学結晶によって散乱された基本波長レーザ光または前記光学結晶によって散乱された別の波長光のうち少なくとも１つを検出するように構成された検出器と、
を含む、装置。
【請求項１０】
前記光学結晶と前記検出器との間に配置された１つ以上の集光要素であって、前記１つ以上の集光要素は、前記光学結晶によって散乱された基本波長レーザ光または前記光学結晶によって散乱された別の波長光のうち少なくとも１つを収集するように構成される１つ以上の集光要素、
をさらに含む、請求項９に記載の装置。
【請求項１１】
前記光学結晶と前記検出器との間に配置された１つ以上の中間集束要素であって、前記１つ以上の中間集束要素は、前記光学結晶によって散乱された基本波長レーザ光または前記光学結晶によって散乱された別の波長光のうち少なくとも１つを集束させるように構成される１つ以上の中間集束要素、
をさらに含む、請求項９に記載の装置。
【請求項１２】
実質的に前記中間焦点の位置に配置されたアパチャであって、前記アパチャは、前記検出器における光学濃度を制限するように構成されるアパチャ、
をさらに含む、請求項１１に記載の装置。
【請求項１３】
前記光学結晶と前記検出器との間に配置された１つ以上のフィルタであって、前記１つ以上のフィルタは、前記光学結晶によって散乱された選択波長の光を通過させるように構成される１つ以上のフィルタ、
をさらに含む、請求項９に記載の装置。
【請求項１４】
結晶位置寿命監視を用いたレーザ周波数変換のための装置であって、
基本波長レーザ光を生成するように構成された基本レーザ光源と、
前記基本レーザ光源からの基本レーザ光を受けるように構成された少なくとも１つの光学結晶であって、前記少なくとも１つの光学結晶は、前記受けた基本レーザ光のうち少なくとも一部を別の波長光へと周波数変換することにより、別の波長光を生成するように構成される少なくとも１つの光学結晶と、
補助波長光を生成するように構成された補助光源であって、前記補助波長光の波長は、前記基本波長レーザ光の波長および前記別の波長光の波長と異なり、前記基本レーザ光源および前記補助光源は、少なくとも基本レーザ光の一部が補助光のうち少なくとも一部と共に前記光学結晶の第１の表面を通じて実質的に共伝搬するように配置される補助光源と、
前記補助波長光の１つ以上の特性を測定するように構成されたビーム特性付けシステムと、
前記光学結晶から補助波長光を前記ビーム特性付けシステムへと送信するように構成された波長分離要素と、
を含む、装置。
【請求項１５】
前記波長分離要素は、ダイクロイックミラー、プリズムまたは回折要素のうち少なくとも１つを含む、請求項１４に記載の装置。
【請求項１６】
前記ビーム特性付けシステムは、
前記補助波長の波面を感知するように構成された少なくとも１つの波面感知デバイス、
を含む、請求項１４に記載の装置。
【請求項１７】
前記少なくとも１つの波面感知デバイスは、少なくとも１つの波面センサーを含む、請求項１４に記載の装置。
【請求項１８】
前記少なくとも１つの波面感知デバイスは、干渉計を含む、請求項１４に記載の装置。
【請求項１９】
前記ビーム特性付けシステムは、
前記補助波長光の１つ以上のビームプロファイルパラメータを測定するように構成されたビームプロファイル測定システム、
を含む、請求項１４に記載の装置。
【請求項２０】
前記１つ以上のビームプロファイルパラメータは、ビーム伝搬要素、ビーム直径またはビーム発散のうち少なくとも１つを含む、請求項１９に記載の装置。
【請求項２１】
前記補助波長光の１つ以上のビームプロファイルパラメータを測定するように構成された前記ビームプロファイル測定システムは、
前記補助波長光のビームを横方向に走査するように構成されたナイフエッジ、
を含む、請求項１９に記載の装置。
【請求項２２】
前記補助波長光の１つ以上のビームプロファイルパラメータを測定するように構成された前記ビームプロファイル測定システムは、
前記補助波長光のビームを横方向に走査するように構成されたアパチャ、
を含む、請求項１９に記載の装置。
【請求項２３】
前記ビームプロファイル測定システムは、
前記補助波長光のビームを横方向に走査するように構成されたスリット、
を含む、請求項１９に記載の装置。
【請求項２４】
前記ビームプロファイル測定システムは、前記光学結晶によって散乱された補助波長の１つ以上のビーム特性焦点を通じた２つ以上の位置において、前記補助波長光のビームプロファイルを測定するように構成される、請求項１９に記載の装置。
【請求項２５】
前記１つ以上のビーム特性は、焦点、非点収差または傾斜のうち少なくとも１つを含む、請求項２４に記載の装置。
【請求項２６】
前記ビーム特性付けシステムに通信可能に接続されたコンピュータシステムであって、
前記ビーム特性付けシステムから１つ以上の測定結果を受信するステップと、
前記受信された１つ以上の測定結果と選択された１組の較正基準データとを比較することにより、結晶位置損傷のレベルを決定するステップと、
を行うように構成されるコンピュータシステム、
をさらに含む、請求項１４に記載の装置。
【請求項２７】
前記コンピュータシステムへと通信可能に接続された多軸平行移動制御システムであって、前記多軸平行移動制御システムは、前記コンピュータシステムから受信された１つ以上の命令信号に応答して、前記少なくとも１つの光学結晶を平行移動させるように構成される多軸平行移動制御システム、
をさらに含む、請求項２６に記載の装置。
【発明の詳細な説明】
【技術分野】
【０００１】
本出願は、以下の出願（単数または複数）（「関連出願」）（例えば、関連出願（単数または複数）の仮特許出願、全ての親出願、その先代の出願、さらにその先代の出願等の出願について、仮特許出願以外のものについて利用可能な最先の優先日を主張するかまたは３５ＵＳＣ§１１９（ｅ）下の恩恵を主張するもの）からの利用可能かつ有効な出願日（単数または複数）のうち最先のものに関連し、またそのような最先のものからの恩恵を主張する。
【背景技術】
【０００２】
関連出願
ＵＳＰＴＯ法定外要件の目的のため、本出願は、米国仮特許出願（名称：「ＭＥＡＳＵＲＩＮＧ  ＣＲＹＳＴＡＬ  ＳＩＴＥ  ＬＩＦＥＴＩＭＥ  ＩＮ  ＦＲＥＱＵＥＮＣＹ  ＣＯＮＶＥＲＴＥＤ  ＬＡＳＥＲ」、発明者：Ｊｏｓｅｐｈ  Ａｒｍｓｔｒｏｎｇ、出願日：２０１０年１１月９日、出願シリアル番号６１／４１１，８５１）の通常の（仮出願でない）特許出願を構成する。
【０００３】
本発明は、主に、半導体ウェーハまたはフォトマスク検査システムの照明器内における実行に適した周波数変換光源に関し、より詳細には、周波数変換結晶位置劣化を監視するシステムに関する。
【０００４】
半導体デバイスおよびコンポーネントの寸法が継続的に縮小するに伴い、高スループットと向上した分解能とを示す半導体ウェーハおよびフォトマスク検査システムの需要が増加し続けている。半導体およびフォトマスク検査システムにおいてより高レベルの分解能を達成する方法を挙げると、より短波長の光を放出することが可能な照明光源の利用がある。
【０００５】
波長が４００ｎｍ以下である光をウェーハまたはレチクルに照射した場合、ある実行的な利点が得られ得る。高品質のウェーハおよびフォトマスク検査システムのために適切なレーザを提供することは、特に困難が伴う。深紫外線（ＤＵＶ）光エネルギーを生成することが可能な従来のレーザは典型的には大型であり、高価であり、また寿命が比較的短くかつ平均出力が低いという問題がある。適切なスループットおよび欠陥信号対ノイズ比（ＳＮＲ）を得るためには、ウェーハおよびフォトマスク検査システムにおいて、高平均出力、低ピーク出力および比較的短尺のレーザ照明光源が必要になることが多い。
【０００６】
従来、適切なＤＵＶ出力を得るための主な方法においては、長波長光からより短波長の光への変換が行われる（本明細書中「周波数変換」と呼ぶ）。当該分野において、より長波長の光からより短波長への周波数変換は、１つ以上の非線形光学結晶の利用によって達成されることが多いことが周知である。本文脈において、周波数変換において、所与の非線形光学結晶内における非線形応答を生成するためには、高ピーク出力光が必要になる。このプロセスの効率を高くするためには、高平均出力、短光パルスを有するようにより長い波長の光を生成すればよく、この光を光学結晶中に集束させればよい。もともとの「より長波長の」光は、一般的に「基本光」と呼ばれる。
【０００７】
４００ｎｍを下回る波長（特に３００ｎｍを下回る波長）における光生成は、困難である。半導体検査システム内において実行される光源においては、比較的高出力であり、長寿命であり、安定した性能であることが必要になる。高度な検査技術のためのこれらの要求を満たす光源は、従来技術においては存在しない。現在のＤＵＶ周波数変換レーザの寿命、出力および安定性は、実行された周波数変換結晶および周波数変換スキームによって限定されることが多い。このような限定は、非線形変換結晶がＤＵＶ波長（例を非限定的に挙げると、３５５、２６６、２１３、および１９３ｎｍ）に露出された場合に特に当てはまる。
【０００８】
多くの検査用途において、周波数変換レーザ出力または波面を経時的に安定させる必要がある。照明への露出に起因して非線形光学結晶が劣化した場合、出力および波面安定性を経時的に維持することが困難になる。周波数変換結晶の寿命を延ばすために、現在の位置の劣化が受容可能な制限を超える前に衝突レーザビームを結晶の未利用部分上に集束させるために、所与の結晶をシフトさせることが一般的である。別の局面において、波面または出力劣化の開始を回避するために、光学結晶が一定速度で連続的にシフトされ得る。
【０００９】
しかし、周波数変換結晶位置の寿命は、結晶位置によって大幅に異なる場合がある。結晶位置寿命の変動に対処するための現在の方法を挙げると、予測される最短の寿命に一定の安全マージンを含めた数値に基づいて、結晶位置寿命を選択する方法がある。この方法の場合、所与の光学結晶の寿命が大幅に制限される場合がある。加えて、この方法の場合、推定が不正確になる場合がある。なぜならば、１つ以上の結晶位置が予測よりも早い速度で劣化する場合があるからである。その場合、この種のレーザを光源として用いた高精度装置の性能に悪影響が出る場合がある。
【先行技術文献】
【特許文献】
【００１０】
【特許文献１】米国特許第７，５３９，２２２号明細書
【発明の概要】
【発明が解決しようとする課題】
【００１１】
そのため、結晶位置寿命を監視する能力を備えた周波数変換システムを提供する方法および／またはシステムを提供することが望まれている。
【課題を解決するための手段】
【００１２】
結晶位置寿命監視を用いたレーザ周波数変換に適した装置が開示される。一局面において、装置は、以下を非限定的に含み得る。基本波長レーザ光を生成するように構成された基本レーザ光源と、上記基本レーザ光源からの基本レーザ光を受けるように構成された少なくとも１つの光学結晶であって、上記少なくとも１つの光学結晶は、上記受けた基本レーザ光のうち少なくとも一部を別の波長光へ周波数変換することにより、別の波長光を生成するように構成される、少なくとも１つの光学結晶と、上記光学結晶によって散乱された基本波長レーザ光または上記光学結晶によって散乱された別の波長光のうち少なくとも１つを検出するように構成された検出器。
【００１３】
別の局面において、結晶位置寿命監視を用いたレーザ周波数変換のための装置が開示される。上記装置は、以下を非限定的に含み得る。基本波長レーザ光を生成するように構成された基本レーザ光源と、上記基本レーザ光源からの基本レーザ光を受けるように構成された少なくとも１つの光学結晶であって、上記少なくとも１つの光学結晶は、上記受けた基本レーザ光のうち少なくとも一部を別の波長光へと周波数変換することにより、別の波長光を生成するように構成される、少なくとも１つの光学結晶と、補助波長光を生成するように構成された補助光源であって、上記補助波長光の波長は、上記基本波長レーザ光の波長および上記別の波長光の波長と異なり、上記基本レーザ光源および上記補助光源は、少なくとも基本レーザ光の一部が補助光のうち少なくとも一部と共に上記光学結晶の１つ以上の表面を通じて実質的に共伝搬するように、配置される、補助光源と、上記光学結晶によって散乱された基本波長レーザ光、上記光学結晶によって散乱された別の波長光、または上記光学結晶によって散乱された補助光のうち少なくとも１つを検出するように構成された検出器。
【００１４】
別の局面において、結晶位置寿命監視を用いたレーザ周波数変換シフトのための装置が開示される。上記装置は、以下を非限定的に含み得る。基本波長レーザ光を生成するように構成された基本レーザ光源と、上記基本レーザ光源からの基本レーザ光を受けるように構成された少なくとも１つの光学結晶であって、上記少なくとも１つの光学結晶は、上記受信された基本レーザ光のうち少なくとも一部を別の波長光へ周波数変換することにより、別の波長光を生成するように構成される、少なくとも１つの光学結晶と、補助波長光を生成するように構成された補助光源であって、上記補助波長光の波長は、上記基本波長レーザ光の波長および上記別の波長光の波長と異なり、上記基本レーザ光源および上記補助光源は、少なくとも基本レーザ光の一部が補助光のうち少なくとも一部と共に上記光学結晶の第１の表面を通じて実質的に共伝搬するように、配置される、補助光源と、上記補助波長光の１つ以上の特性を測定するように構成されたビーム特性付けシステムと、上記光学結晶から補助波長光を上記ビーム特性付けシステムへと送信するように構成された波長分離要素。
【００１５】
上記の一般的な記載と、以下の詳細な記載とはどちらともあくまでも例示および説明であり、特許請求の範囲に記載のような本発明を必ずしも限定しないことが理解されるべきである。添付の図面は、本明細書中に採用され、かつ本明細書を部分的に構成し、本発明の実施形態を例示し、上記一般的記載と共に、本発明の原理の説明するために用いられる。
【００１６】
本開示の多数の利点は、添付の図面を参照すれば、当業者によってより深く理解され得る。
【図面の簡単な説明】
【００１７】
【図１】本発明の実施形態による、結晶位置寿命監視を用いたレーザ周波数変換のための装置のブロック図を示す。
【図２】欠陥に起因して発生した補助光散乱の測定を示す。上記測定は、本発明の実施形態による結晶位置寿命監視を用いたレーザ周波数変換のための装置を用いて得られる。
【図３】本発明の別の実施形態による、結晶位置寿命監視を用いたレーザ周波数変換のための装置のブロック図を示す。
【図４】本発明の別の実施形態による、結晶位置寿命監視を用いたレーザ周波数変換のための装置のブロック図を示す。
【発明を実施するための形態】
【００１８】
以下、開示の内容を詳細に参照する。上記内容は、添付図面中に図示される。
【００１９】
主に図１〜図４を参照して、本発明による、非線形光学結晶中の結晶位置監視のためのシステムについて説明する。
【００２０】
本開示は、非線形光学結晶中の性能の監視と、上記非線形光学結晶の破損状態の予測とを行うことが可能なシステムに関する。上記システムは、破損状態が切迫していると予測された場合、新規結晶位置が衝突基本光に露出されるように、光学結晶を平行移動させるように、さらに構成される。
【００２１】
本明細書中、計測システムの実行において、典型的な集束レーザビーム直径は０．１〜０．２ｍｍのオーダーであることが認識される。さらに、典型的な光学結晶断面は、５ｍｍ×５ｍｍのオーダーであり得る。光学結晶断面およびレーザビーム直径を組み合わせることにより、典型的な設定において、約１００〜５００個の結晶位置が得られる。さらに、結晶位置寿命は、数百時間〜１時間未満であり得る。当業者であれば、結晶位置の変動は、多数の要素（例を非限定的に挙げると、用いられる結晶の種類、用いられる光の波長、および上記結晶内のレーザ光によって得られる出力密度）に依存し得ることを認識する。結晶位置破損を予測する能力が得られることにより、所与の光学結晶の各結晶位置の寿命を延ばすことが可能になり、その結果、動作コストの低減と、エンドレーザにおけるメンテナンス期間の短縮と、レーザ信頼性の増加とが得られる。
【００２２】
図１は、本発明の実施形態による、非線形光学結晶中の結晶位置監視のためのシステム１００を示す。一局面において、システム１００は、以下を非限定的に含み得る。基本波長のレーザ光１０４を生成するように構成された基本レーザ光源１０２と、基本光と異なる波長を有する補助光１１２を生成するように構成された補助光源１１０と、基本レーザ光１０４および補助レーザ１１２を受けるように構成された光学結晶１１６と、光学結晶１１６によって散乱された光（例えば、基本波長レーザ光、別の波長光または補助光）を検出するように構成された検出器１２６とを含む。さらなる局面において、光学結晶１１６は、光学結晶１１６によって受けた基本光を別の波長光１１７（すなわち、基本レーザ光と異なる波長の光）の一部に対して周波数変換を行うように構成される。
【００２３】
別の局面において、基本光源１０２、補助光源１１０、光学結晶１１６およびシステム１００の多様な光学要素は、補助光１１２および基本光１０４のうち少なくとも一部が光学結晶１１６の入射表面を通じて共伝搬するように、構成され得る。このようにして、基本光源１０２は、基本光源１０２からの基本レーザ光１０４を光学結晶１１６の周波数変換結晶位置上へと方向付けるように、構成される。一方、補助光源１１０は、補助光源１１０からの補助光１１２を上記と同じ周波数変換結晶位置（または上記位置のうち少なくとも一部）上へと方向付けるように、構成される。
【００２４】
本明細書中、共伝搬している基本光１０４および補助光１１２の一部と、生成された別の光１１７とが、図１に示すように光学結晶１１６の体積を通じて伝搬し、光学結晶１１６から出て行くことが認識される。しかし、結晶位置劣化に起因して光学結晶１１６内に欠陥が発生した場合、基本１０４、補助１１２および／または別の１１７光ビームの反射部から光が散乱し得ることが本明細書中さらに認識される。この散乱光１１８のうち一部を検出器１２６を介して測定することにより、光学結晶１１６中の結晶位置劣化レベルの特性付けが可能となる。所与の周波数変換結晶位置中の劣化レベルの特性付けを行うことにより、周波数変換結晶位置破損の予測をより高精度に行うことが可能になる。
【００２５】
本明細書中、多くの設定において、基本光１０４および別の光１１７と関連付けられた散乱は、適切な信号対ノイズ比を達成できないような大きな大きさにされることが企図される。基本光１０４および別の光１１７と異なる波長を有する補助光１１２を放出することが可能な補助光源１１０を実行することにより、１つ以上の劣化部位の特性付けを補助波長光１１２を用いて行うことが可能となる。このようにして、本明細書中に以下にさらに詳述するようにフィルタリングプロセスを実行した後に検出を行って基本波長光１０４および別の波長光１１７を検出経路からフィルタリングすることによって補助波長光１１２のみを検出するように、システム１００を構成することができる。
【００２６】
一般的に、基本レーザ光源１０２は、当該分野において公知の任意のレーザ光源を含み得る。基本レーザ光源１０２の特定の波長を選択する場合、多様な要素（例を非限定的に挙げると、光学結晶１１６の非線形応答によって生成された別の波長光の所望の出力波長）に基づいて選択すればよい。さらに、システム１００の光学結晶１１６は、当該分野において公知の任意の非線形光学結晶を含み得る。同様に、特定の種類の非線形光学結晶を選択する場合、多様な要素（例を非限定的に挙げると、光学結晶１１６の非線形応答によって発生した別の波長光の所望の出力波長）に基づいて選択すればよい。この点において、基本レーザ光源１０２および光学結晶１１６は関連付けて選択される。すなわち、特定の１式の基本レーザ光源と、受信側の非線形光学結晶とを選択する際、この一対によって所望の別の波長光が得られるように選択を行う。このようにして特定に選択された基本光源１０２、光学結晶１１６または生成された別の波長光１１７は限定されず、上記のうちいずれの選択も、本発明の範囲内であることが認識されるべきである。
【００２７】
加えて、上記特定に選択された補助光源１１０は、限定的に解釈されるべきではない。一般的に、本明細書中に以下により詳細に記載するように、補助光源１１０を選択する際、放出された補助光１１２の波長が基本波長光１０４および別の波長光１１７の波長と異なるように選択を行い、これにより、向上した分析が可能となる。本明細書中、補助光源１１０は、当該分野において公知の任意の光源を含み得ることが認識される。例えば、補助光源１１０は、狭帯域照明を発光することが可能な任意の光源を含み得る。本明細書中、狭帯域照明は、広帯域源および１つ以上のフィルタリングデバイスを用いて達成され得る点に留意されたい。別の例として、補助光源１１０は、１つ以上のレーザ光源を含み得る（例えば、単一のレーザまたはレーザアレイ）。さらに別の例として、補助光源１１０は、１つ以上の発光ダイオード（ＬＥＤ）を含み得る（例えば、単一のＬＥＤまたはＬＥＤアレイ）。
【００２８】
本発明の別の局面において、システム１００は、第１の集束要素１０６と、第２の集束要素１１４と、ビームスプリッター（例えば、ダイクロイックミラー１０８）とを非限定的に含み得る。上記ビームスプリッターは、基本光源１０２および補助光源１０６からの光を結晶経路１０９を介して光学結晶１１６へと方向付けるように構成される。このようにして、第１の集束要素１０６は、基本光源１０２からの基本光１０４を光学結晶１１６の周波数変換結晶位置上へと集束させることができる。第２の集束要素１１４は、補助光源１１０からの補助光１１２を上記と同一の周波数変換結晶位置上へと集束させる。
【００２９】
一実施形態において、上記ビームスプリッターは、ダイクロイックミラー１０８を含み得る。この点について、ダイクロイックミラー１０８を用いて、基本光源１０２からの照明１０４を光学結晶１１６に向かって反射させつつ、補助光源１１０からの照明１１２を光学結晶１１６へと伝送することができる。本明細書中、この構成は限定的なものではなく、ひとえに例示として解釈されるべきである点に留意されたい。例えば、システム１００の構成を、補助光源１１０からの照明を光学結晶１１６に向かって反射させつつ、ダイクロイックミラーを用いて基本光源１０２から光学結晶１１６へと伝送させるような構成にしてもよい。当業者であれば、特定の構成は、多様な要素（例を非限定的に挙げると、選択された基本レーザ源１０２および補助光源１１０からの照明の偏光および波長）によって異なり得ることを認識する。
【００３０】
一般的に、当該分野において公知の任意の適切なビームスプリッターを、本発明の文脈内において用いることができる。記載を明確にする目的のため、本開示の残りの部分全体において、ダイクロイックミラー１０８に基づいたビームスプリッターの文脈において、本発明について説明する。しかし、この記載は制限的なものではなく、他にも多数のビーム分割技術を本発明の範囲内において用いることが可能であることが認識されるべきである。
【００３１】
本発明の別の局面において、第１の集束要素１０６は、第１の光経路１０５に沿って配置される。第１の集束要素１０６は、基本レーザ光源１０２から放射された光１０４を光学結晶１１６中へと集束させるように、構成される。この点について、第１の集束要素１０６は、基本光源１０２とダイクロイックミラー１０８との間において、第１の光経路に沿って配置される。別の実施形態において、図示していないものの、第１の集束要素１０６は、ビームスプリッター１０８と光学結晶１１６との間において、結晶経路１０９に沿って配置される。本明細書中、第１の集束要素１０６の位置に関連して上述した配置構成は制限されず、ひとえに例示として解釈されるべきである点に留意されたい。さらなる実施形態において、集束要素１０６は、基本レーザ光源１０２から放出された基本レーザ光１０４を集束させるための当該分野において公知の光学デバイスを含み得る。例えば、第１の集束要素１０６の例を非限定的に挙げると、レンズ、鏡、または回折要素がある。
【００３２】
本明細書中、基本レーザ光１０４の集束は、システム１００の要求ではないことが企図される。この点において、基本レーザ光１０４の集束が必要かは、例えば、光学結晶１１６内の必要なビームサイズによって決定され得る。
【００３３】
別の実施形態において、第２の集束要素１１４は、第２の光経路１０７に沿って配置される。第２の集束要素１１４は、補助光源１１０から放出された光１１２を光学結晶１１６中に集束させるように、構成される。この点について、第２の集束要素１１４は、補助光源１１０と、ダイクロイックミラー１０８との間において、第２の光経路１０７に沿って配置される。別の実施形態において、図１に示していないものの、第２の集束要素１１４は、ダイクロイックミラー１０８と、光学結晶１１６との間において、結晶経路１０９に沿って配置される。本明細書中、第２の集束要素１１４の位置に関連して上述した配置構成は制限されず、ひとえに例示として解釈されるべきである点に留意されたい。
【００３４】
さらなる実施形態において、第２の集束要素１１４は、補助光源１１０から放出された補助光１１２を集束させるのに適した、当該分野において公知の任意の光学デバイスを含み得る。例えば、上記第２の集束要素１１４の例を非限定的に挙げると、レンズ、鏡、または回折要素がある。
【００３５】
本明細書中、補助光１１２の集束は、システム１００の要求ではないことが企図される。上記補助光１１２が必要かは、例えば、光学結晶１１６内の必要なビームサイズによって決定され得る。一般的には、基本光ビーム１０４とほぼ同じサイズの補助光ビーム１１２を生成することが望ましい。サイズが同じであるかまたは少なくとも類似している基本光ビームおよび補助光ビームを用いることにより、システム１００が光学結晶１１６の所与の周波数変換結晶位置において基本レーザビーム１０４と補助光ビーム１１２との間の大幅な重複を達成することが可能になる。基本レーザビーム１０４と補助光ビーム１１２との間の重複により、結晶の欠陥と関連する適切な信号の生成が支援され得る。このようにして、基本光ビーム１０４と共に存在する補助光ビーム１１２により、上記システムが（基本光への露出に起因する散乱補助光の測定を通じて）結晶位置劣化による影響をより高精度に測定することが可能になる。
【００３６】
図１に示す構成は第２の高調波発生に適しているものの、本明細書中、他の種類の周波数変換または周波数混合をプロセスを本発明の範囲内において実行することが可能であることが認識される。
【００３７】
本発明の別の局面において、検出器１２６は、光学結晶１１６からの散乱光１１８を収集するように構成される。本明細書中に既述したように、基本レーザビーム１０４、補助光ビーム１１２および生成された別の光１１７の反射部は、図１に示すように共に光学結晶１１６から退出し得る。しかし、光学結晶１１６内の欠陥は、基本光ビーム１０４、補助１１２光ビームおよび／または別の１１７光ビームの反射部からの光を散乱させ得る。これらの欠陥は、基本レーザ光１０４への露出の結果、周波数変換結晶位置の劣化に起因して発生し得る。上記発生した欠陥から散乱した後、基本光ビーム１０４、補助光ビーム１１２および／または別の１１７光ビームの部分は、結晶経路１０９に対して一定角度で配置された方向に沿って方向転換され得る。このようにして、基本光１０４、補助光１１２および／または別の光１１７は、散乱ビーム１１８を形成し得る。散乱ビーム１１８は、基本光、補助光および／または別の光の何らかの組み合わせを含み得る。
【００３８】
検出器は、当該分野において公知の任意の検出器を含み得る。例えば、検出器１２６の例を非限定的に挙げると、フォトダイオード（例えば、シリコンフォトダイオード）、光電子増倍管（ＰＭＴ）、または電荷結合素子（ＣＣＤ）がある。一般的に、特定の使用検出器の感度を、検出対象となる例レベル照明に対して高感度にするべきである。例えば、検出器１２６は、選択された補助光源１１０から放出された低レベル光に対して高感度に設定された検出器を含み得る。
【００３９】
さらなる実施形態において、システム１００は、１つ以上の組の集光部１２０を含み得る。本発明の集光部１２０は、当該分野において公知の任意の集光部を含み得る。例えば、集光部１２０の例を非限定的に挙げると、１つ以上のレンズまたは１つ以上の鏡がある。図１に示すように、集光部１２０は、光学結晶１１６から散乱した光１１８（例えば、劣化した周波数変換結晶位置を介して散乱したもの）を集光し、散乱光１１８を検出器１２６へと方向付けるように配置され得る。
【００４０】
別の実施形態において、システム１００は、アパチャ１２２を含み得る。本明細書中、アパチャ１２２は、当該分野において公知の任意のアパチャを含み得ることが認識される。アパチャ１２２は、集光部１２０からの光がアパチャ１２２を通過するように、配置され得る。この点について、集光部１２０は、図１に示すように検出器１２６において開口部としてのアパチャ１２２を用いて、（散乱した基本レーザ光、散乱した別の光、および散乱した補助光からなる）散乱光１１８を有効に撮像する。本明細書中、この配置構成は、システム１００の他の位置から発生した迷光の量を大幅に軽減することが認識される。
【００４１】
さらなる実施形態において、システム１００は、アパチャ１２２と検出器１２６との間に配置されたフィルタ１２４を含み得る。本明細書中、フィルタ１２４は、当該分野において公知の任意の光学フィルタを含み得ることが認識される。例えば、フィルタ１２４の例を非限定的に挙げると、干渉フィルタまたは吸収フィルタがある。さらに、フィルタ１２４は、補助光源１１０の波長を除く全ての波長をフィルタリング除去するように構成され得る。この点において、フィルタ１２４は、散乱基本光と、光学結晶１１６によって生成された別の光との伝送を限定するように機能し得る。本明細書中、多くの場合において、基本光１０４および別の光１１７と関連する散乱は、適切な信号対ノイズ比が達成できないくらいにシステム内において充分に大きくすることができる点に留意されたい。基本光１０４および別の光１１７と異なる波長を有する補助光１１２を放出するように構成された補助光源１１０を実行することにより、補助光１１２のみが検出器１２６に到達するように散乱光１１８のフィルタリングを行うことが可能となる。
【００４２】
本明細書中、上述した集光部１２０、アパチャ１２２およびフィルタ１２４は同時に実行することが可能であるため、散乱光１１８の集光およびフィルタリングを効率的に行うことが可能となることが認識される。
【００４３】
本発明の別の局面において、システム１００は、コンピュータシステムを含み得る。このコンピュータシステムは、検出器１２６に通信可能に接続され、検出器１２６から検出結果を受信するように構成される。例えば、検出器１２６は、１つ以上の信号（例えば、無線または有線デジタル化信号）を送信し得る。これらの信号は、検出器１２６の１つ以上の検出結果をコンピュータシステム（図示せず）に示す。
【００４４】
検出器１２６から検出結果から受信した後、コンピュータシステムは、事前プログラムされたアルゴリズムを実行し得る。上記事前プログラムされたアルゴリズムは、所与の結晶位置の周波数変換結晶位置劣化レベルを決定するように構成される。例えば、上記アルゴリズムは、検出器１２６によって測定された取得散乱光１１８の強度と、標準化された基準データとを比較するように構成され得る。上記基準データは、散乱強度１１８と、所与の劣化レベルとを相関付けるのに適している。上記コンピュータアルゴリズムは、所与の結晶位置が破損状態となるまでに残っている時間の長さについての通知を提供するようにさらに構成され得る。この通知は、ユーザ表示インターフェースを介して、システム１００のサブシステムまたはユーザへと提供され得る。
【００４５】
別の実施形態において、上記コンピュータシステムは、平行移動制御システム（図示せず）に対する制御命令を送信し得る。この点について、所与の結晶位置の切迫破損を特定した後、上記コンピュータシステムは、平行移動コマンドと通信可能に接続された平行移動制御システムへと送信し得る。上記コマンド信号に応答して、上記平行移動制御システムは、光学結晶１１６を選択された量だけ平行移動させることで、基本レーザビーム１０４および補助光ビーム１１２を未劣化の光学結晶１１６の一部上に衝突させる。
【００４６】
本明細書中、上記平行移動制御システムは、多軸平行移動段を含み得ることが認識される。任意の公知の多軸平行移動段は、本発明における実行に適している点に留意されたい。例えば、上記多軸平行移動段の例を非限定的に挙げると、電動式多軸平行移動段または圧電型駆動平行移動段がある。さらに、光学結晶１１６は、当該分野において公知の任意の様態で平行移動制御システムの多軸段へと機械的に接続され得る。
【００４７】
上記コンピュータシステムの例を非限定的に挙げると、パーソナルコンピュータシステム、メインフレームコンピュータシステム、ワークステーション、画像コンピュータ、平行プロセッサ、または当該分野において公知の他の任意のデバイスがある。一般的には、「コンピュータシステム」という用語は、記憶媒体から命令を実行する１つ以上のプロセッサを有する任意のデバイスを包含するように広範に定義され得る。
【００４８】
本明細書中に記載の方法などの方法を実行するプログラム命令は、キャリア媒体を介して送信してもよいし、あるいはキャリア媒体上に保存してもよい。上記キャリア媒体は、伝送媒体（例えば、ワイヤ、ケーブル、または無線伝送リンク）であり得る。上記キャリア媒体は、記憶媒体も含み得る（例えば、リードオンリーメモリ、ランダムアクセスメモリ、磁気ディスクまたは光学ディスク、または磁気テープ）。
【００４９】
図２は、１組の散乱測定結果を示す。上記結果は、損傷の開始、波面劣化の開始および出力劣化の開始を示す。本明細書中、周波数変換結晶が劣化した場合、結晶が別の光を生成する能力に影響が出ることが認識される。結晶内の結晶位置が劣化した場合、光学結晶の変換能力において主に２つの様態で影響が出る。多くの場合において、熱効果およびフォトリフレクションに起因して、所与の光学結晶から発生した光波面が変化する。結晶から発生した光波面への悪影響は、顕著な出力劣化が観察される前に発生し得る点にさらに留意されたい。露出時間が長くなるほど、放出光の出力も劣化し得る。しかし、上記散乱光信号は、結晶損傷に対してより高感度であり得ることが認識される。図２は、実行された検出システム（例えば、本開示のシステム１００、システム３００、またはシステム４００）によって検出された散乱光のレベルを時間の関数として示す。先ず（短時間において）、検出された極めて低レベルの散乱背景光がある。時間経過と共に、上記散乱光信号は、ノイズ閾値を超えて増加し、微小損傷２０４の開始が観察される。本明細書中、微小損傷の開始は、生成された別の光の出力または波面に大きな影響を与えない点に留意されたい。なぜならば、上記結晶内の衝突基本光ビーム直径は、上記微小損傷よりも大幅に大きいからである。さらに時間が経過すると、波面劣化２０６の閾値が到達するまで、上記散乱が増加する。ここで、衝突システムに対する波面劣化の重要性の関数としてこの閾値を選択することが必要である点に留意されたい。本明細書中、多くの設定において、波面は重要ではなく、出力が主な問題となる点が認識される。これらの設定において、波面劣化が重要ではない場合、出力劣化２０８の開始が観察されるまで、光学の結晶位置の重要性は典型的にはより長期間にわたって続く。
【００５０】
図３は、非線形光学結晶内における結晶位置監視のためのによる、非線形光学結晶内における結晶位置監視のためのシステム３００を示す。システム３００の例を非限定的に挙げると、基本波長のレーザ光３０４を生成するように構成された基本レーザ光源３０２と、基本レーザ光３０４を受信するように構成された光学結晶３１０、光学結晶３１０によって散乱された光を検出するように構成された検出器３２２（例えば、基本波長レーザ光または別の波長光）がある。さらに、システム３００は、基本レーザ源３０２からの照明を光学結晶１１６へと方向付けおよび集光するように構成された集束要素３０６およびダイクロイックミラー３０８を含み得る。本明細書中、システム３００のダイクロイックミラー３０８は、システム３００の要求ではないことが認識されるべきである。加えて、システム３００は、集光部３１６と、アパチャ３１８と、フィルタ３２０とを含み得る。フィルタ３２０は、散乱光３１４が検出器３２２に衝突する前に、散乱光３１４の一部の集光およびフィルタリングを行うように構成される。
【００５１】
本明細書中、図３の基本レーザ光源３０２、光学結晶、検出器３２２、集束要素３０６、ダイクロイックミラー３０８、集光部３１６、アパチャ３１８およびフィルタ３２０は、本明細書中図１において上述した同様の構成要素コンポーネントに類似することが認識される。よって、システム１００についての記載は、他に明記無き限り、システム３００にも当てはまるものとして解釈されるべきである。
【００５２】
本明細書中、システム３００においては、システム１００中に示す補助光源が存在しない点に留意されたい。この点において、所与の周波数変換結晶位置欠陥から散乱した散乱光３１４は、基本光源３０２から提供された光と、光学結晶３１０の基本光３０４に対する非線形応答に起因して発生した別の光３１７との波長に限定される。
【００５３】
一局面において、検出器３２２は、散乱した基本光または散乱した別の光のいずれかを検出するように構成され得る。さらなる実施形態において、フィルタ３２０は、選択された対象波長のみを通過させるように構成され得、上記対象波長は、基本レーザ光１０４の波長または別の光３１７の波長のいずれからなる。
【００５４】
検出対象となる波長（またはフィルタ３２０を用いてフィルタリング除去すべき波長）の特定の選択は、いくつかの要素に依存し得る。１つの点において、波長の選択は、システム内において達成され得る信号対ノイズレベルに依存し得る。ここで、一般的には短波長光がより容易に欠陥により散乱することが認識される。そのため、１つの点において、より短波長の光を選択することが望ましい。しかし、これとは対照的に、利用可能なより短波長の光の強度は望ましい強度ではない場合があり、あるいは、迷光源に起因して、より短波長の光を選択することが困難になる場合もある（例えば、迷光源がより短波長の光と同じ波長であるため、迷光のフィルタリング除去が不可能になる場合）。そのため、基本光散乱または別の光散乱を検出するかについての特定の決定は、いくつかの変数に依存し得、最適な選択は、最適な信号対ノイズ比が得られる散乱光である。
【００５５】
図４は、本発明の別の実施形態による、非線形光学結晶中の結晶位置監視のためのシステム４００を示す。システム４００は、以下を非限定的に含み得る。基本波長のレーザ光４０４を生成するように構成された基本レーザ光源４０２と、基本光４０４と異なる波長を有する補助波長光４１２を提供するように構成された補助光源４１０と、基本レーザ光４０４および補助波長光４１２を受けるように構成された光学結晶４１６とを含む。さらに、システム４００は、基本レーザ源４０２および補助光源４１０からの照明を光学結晶１１６へと方向付けおよび集束させるように構成された、第１の集束要素４０６、第２の集束要素４１４およびダイクロイックミラー４０８を含み得る。
【００５６】
本明細書中、基本レーザ光源４０２、補助光源４１０、光学結晶４１６、集束要素４０６および４１４ならびにダイクロイックミラー４０８は、本明細書中に上述した図１の類似のコンポーネントと類似することが認識される。よって、システム１００の記載は、他に明記無き限り、システム４００にも当てはまるものとして解釈されるべきである。
【００５７】
一実施形態において、システム４００は、波長分離要素４２０を含み得る。波長分離要素４２０は、補助波長光４１２をシステム４００の測定アームへと方向付けるように構成される。このようにして、波長分離デバイス４２０は、光学結晶４１６からの発生の後、基本レーザ光４０４および別の光４１７を伝送するように構成され得る。逆に言えば、波長分離デバイス４２０は、補助波長光４１２を反射するように構成され得る。この点について、波長分離デバイス４２０は、補助光４１７をシステム４００の測定アームへと反射させつつ、基本レーザ光４０４および別の光４１７を通過させるように配置され得る。
【００５８】
［分離器の種類］波長分離要素４２０は、基本光および別の光からの補助波長の照明を分離するのに適した、当該分野において公知の任意の波長分離デバイスを含み得る。例えば、波長分離要素４２０の例を非限定的に挙げると、ダイクロイックミラー、プリズム、回折要素などがある。
【００５９】
［ビーム特性付けシステム］本発明の別の局面において、システム４００は、ビーム特性付けシステム４３２を含み得る。ビーム特性付けシステム４３２は、補助波長光４１２のビームの１つ以上の特性を測定するように構成される。この点について、波長分離器４２０を用いて光学結晶４１６から発生した光ビームから補助波長光を分離して、補助波長光４１２をビーム特性付けシステム４３２に向かって方向付けることができる。
【００６０】
さらに、ビーム特性付けシステム４３２は、補助波長光４１２の波面または補助波長光４１２の１つ以上のビームプロファイルパラメータ（例えば、Ｍ２要素、直径、発散など）を測定するように構成され得る。
【００６１】
一実施形態において、ビーム特性付けシステム４３２は、１つ以上の波面感知デバイスを含み得る。本明細書中、上記波面感知デバイスは、当該分野において公知の任意の波面測定デバイスを含み得る点に留意されたい。例えば、上記波面測定デバイスとして、波面センサーがあり得る。当業者であれば、波面センサーは、電子的光検出デバイス（例えば、ＣＣＤ）の感知要素のアレイと共に配列されたレンズのアレイまたはアパチャのアレイを含み得ることを認識する。例えば、上記波面測定デバイスは、ハルトマンシャック波面センサーを含み得る。別の実施形態において、上記波面測定デバイスは、干渉計を含み得る。本明細書中、波面感知に適した任意の干渉システムが、本発明の実行において適している点において留意されたい。例えば、上記波面測定デバイスは、共通路干渉計、（ハルトマンシャック波面センサーに基づいた）シャーリング干渉計、フィゾー干渉計またはマイケルソン干渉計を含み得る。
【００６２】
別の実施形態において、上記ビーム特性付けシステムは、ビームプロファイル測定システムを含み得る。一般的に、当該分野において公知の任意のビームプロファイル測定システムが、本発明における実行に適している。いくつかの実施形態において、上記ビームプロファイル測定システムは、ビーム伝搬要素（すなわち、Ｍ２要素）、ビーム直径、ビーム発散などのうち少なくとも１つを測定するように構成され得る。
【００６３】
さらなる実施形態において、上記ビームプロファイル測定システムの例を非限定的に挙げると、補助波長光のビーム４１２を横方向に走査することにより、補助光４１２のビームプロファイルを測定する手段がある。例えば、上記ビームプロファイル測定システムは、補助波長光のビームを横方向に走査するように構成されたナイフエッジを含み得る。別の例として、上記ビームプロファイル測定システムは、補助波長光のビームを横方向に走査するように構成されたアパチャを含み得る。さらなる例において、上記ビームプロファイル測定システムは、補助波長のビームを横方向に走査するように構成されたスリットを含み得る。
【００６４】
さらなる実施形態において、上記ビームプロファイル測定システムは、補助波長の１つ以上のビーム特性を決定するための焦点を通じた２つ以上の位置において、補助波長光のビームプロファイルを測定するようにさらに構成される。例えば、上記ビームプロファイル測定システムは、補助波長光４１２の焦点、非点収差、または傾斜のうち少なくとも１つを決定するための焦点を通じた２つ以上の位置において、補助波長光のビームプロファイルを測定し得る。
【００６５】
当業者であれば、単一のビーム特性付けシステム４３２は、補助波長ビームの波面および１つ以上のビームプロファイルパラメータ双方を同時に決定するように構成され得ることを認識する。例えば、ハルトマンシャック波面センサーは、測定されたビームの波面および多様なビームプロファイルパラメータ（例えば、Ｍ２要素）を同時に決定することができる。
【００６６】
別の実施形態において、システム４００は、反射鏡４２２を含み得る。反射鏡４２２は、波長分離器デバイス４２０から送られた光をセンサー４３２へとリダイレクトするように、構成され得る。本明細書中、反射鏡４２２は、システム４００の基本要求ではなく、図４中に記載され、ひとえに例示的なものであることが認識される。
【００６７】
［望遠鏡］別の実施形態において、システム４００は、拡大望遠鏡４２４を含み得る。拡大望遠鏡４２４は、補助波長光４１２のうち少なくとも一部をビーム特性付けシステム４３２上へと投射するように構成される。拡大望遠鏡４２４は、光学集束要素４２６および４２８を含み得る。本明細書中、望遠鏡４２４の集束要素４２６および４２８は、当該分野において公知の任意の焦点調整装置を含み得ることが認識される。例えば、集束要素４２６および４２８それぞれの例を非限定的に挙げると、レンズまたは鏡がある。
【００６８】
［フィルタ４３０］さらなる実施形態において、システム４００は、フィルタ４３０を含み得る。フィルタ４３０は、補助波長光４１２以外の光をフィルタリング除去するように構成される。このようにして、フィルタ４３０は、ビーム特性付けシステム４３２上に衝突する非補助波長光の量を最小化するように機能し得る。本明細書中、フィルタ４３０は、他の波長光をフィルタリング除去しつつ、補助波長光４１２を通過させる、当該分野において公知の任意のフィルタを含み得ることが認識される。
【００６９】
別の局面において、システム４００は、コンピュータシステムを含み得る。上記コンピュータシステムは、ビーム特性付けシステム４３２に通信可能に接続され、ビーム特性付けシステム４３２からの結果を受信するように構成される。例えば、ビーム特性付けシステム４３２は、ビーム特性付けシステム４３２の１つ以上の結果を示す１つ以上の信号（例えば、無線または有線デジタル化信号）をコンピュータシステム（図示せず）へと送信し得る。
【００７０】
ビーム特性付けシステム４３２からの結果を受信した後、上記コンピュータシステムは、事前プログラムされたアルゴリズムを実行し得る。上記事前プログラムされたアルゴリズムは、所与の結晶位置の周波数変換結晶位置劣化のレベルを決定するように構成される。例えば、上記アルゴリズムは、ビーム特性付けシステム４３２によって測定された取得波面情報および／またはビームプロファイルパラメータと、測定された照明および所与の劣化レベルの相関付けに適した標準化基準データとを比較するように、構成され得る。上記コンピュータアルゴリズムは、所与の結晶位置が破損状態となるまでに残っている時間を示す通知を提供するように、さらに構成され得る。この通知は、ユーザ表示インターフェースを介して、システム４００のサブシステムまたはユーザへと提供され得る。
【００７１】
別の実施形態において、上記コンピュータシステムは、制御命令を平行移動制御システム（図示せず）へと送信し得る。この点について、所与の結晶位置の切迫破損を特定した後、上記コンピュータシステムは、通信可能に接続された平行移動制御システムへと平行移動コマンドを送信し得る。上記コマンド信号に応答して、上記平行移動制御システムは、光学結晶４１６を選択された量だけ平行移動させ得、これにより、基本レーザビーム４０４および補助光ビーム４１２が未劣化の光学結晶４１６の一部に衝突しなくなる。
【００７２】
本明細書中、上記平行移動制御システムは、多軸平行移動段を含み得ることが認識される。任意の公知の多軸平行移動段は、本発明における実行に適している点に留意されるべきである。例えば、上記多軸平行移動段の例を非限定的に挙げると、電動式多軸平行移動段または圧電型駆動平行移動段がある。さらに、光学結晶４１６は、上記平行移動制御システムの多軸段へと機械的に当該分野において公知の任意の様態で接続され得る。
【００７３】
本明細書中に記載されるシステムおよび方法は全て、上記方法実施形態の１つ以上のステップの結果を記憶媒体中に保存することを含み得る。上記結果は、本明細書中に記載の結果のうち任意の結果を含み得、当該分野において公知の任意の様態で保存され得る。上記記憶媒体は、本明細書中に記載の任意の記憶媒体または当該分野において公知の他の任意の適切な記憶媒体を含み得る。上記結果の保存後、上記結果は、上記記憶媒体中においてアクセスされ得、本明細書中に記載の方法またはシステムの実施形態のうちいずれかによって用いられ得、ユーザへの表示に合わせてフォーマットされ得、別のソフトウェアモジュール、方法またはシステムなどによって用いられ得る。さらに、上記結果は、「永久的に」、「半永久的に」、「一時的に」または一定期間にわたって保存され得る。例えば、上記記憶媒体は、ランダムアクセスメモリ（ＲＡＭ）であり得、上記結果は必ずしも上記記憶媒体中に永久的に保存しなくてもよい。
【００７４】
当業者であれば、本明細書中に記載のプロセスおよび／またはシステムおよび／または他の技術を実行することが可能な多様な伝達手段があり（例えば、ハードウェア、ソフトウェアおよび／またはファームウェア）、また、好適な伝達手段は、プロセスおよび／またはシステムおよび／または他の技術が用いられる文脈によって異なることを理解する。例えば、作成者が速度および精度を何よりも重視すると決定した場合、上記作成者は、主にハードウェアおよび／またはファームウェア伝達手段を選択し得る。あるいは、柔軟性が重視される場合、上記作成者は、主にソフトウェア実行を選択し得る。あるいは、さらに代替的に、上記作成者は、ハードウェア、ソフトウェアおよび／またはファームウェアの何らかの組み合わせを選択し得る。よって、プロセスおよび／またはデバイスおよび／または本明細書中に記載の他の技術に影響を与え得る伝達手段はいくつか存在し得、これらのうちいずれも、その他のものよりも固有に優れておらず、任意の利用伝達手段は、上記伝達手段が利用される文脈と、上記作成者の特定の問題（例えば、速度、柔軟性、または予測可能性）とに基づいて選択される。上記のような文脈および問題は、いずれも変動し得る。当業者であれば、実行様態の光学的局面において、光学的に配置されたハードウェア、ソフトウェアおよび／またはファームウェアが典型的に用いられる。
【００７５】
当業者であれば、当該分野において、デバイスおよび／またはプロセスを本明細書中に記載の様態で記述することが一般的であり、その後技術的慣例を用いて、このように記述されたデバイスおよび／またはプロセスを統合してデータ処理システムを得ることを認識する。すなわち、合理的な量の実験を通じて、本明細書中に記載のデバイスおよび／またはプロセスのうち少なくとも一部を統合して、データ処理システムを得ることができる。当業者であれば、典型的なデータ処理システムは、一般的に以下のうち１つ以上を含む：システムユニットハウジング、ビデオ表示デバイス、メモリ（例えば、揮発性および非揮発性メモリ）、プロセッサ（例えば、マイクロプロセッサおよびデジタル信号プロセッサ）、演算エンティティ（例えば、オペレーティングシステム）、ドライバー、グラフィカルユーザインターフェース、およびアプリケーションプログラム、１つ以上の双方向デバイス（例えば、タッチパッドまたは画面）、および／または制御システム（例えば、フィードバックループ）および制御モータ（例えば、位置および／または速度を感知するフィードバック）、コンポーネントおよび／または数量の移動および／または調節のための制御モータ）ことを認識する。典型的なデータ処理システムが、任意の適切な市販のコンポーネント（例えば、データコンピューティング／通信および／またはネットワークコンピューティング／通信システムにおいて典型的に見受けられるようなもの）を用いて実行され得る。
【００７６】
本明細書中に記載の内容において、他の異なるコンポーネント内に設けられたまたは異なる他のコンポーネントと接続された異なるコンポーネントが例示されることがある。このような記載のアーキテクチャはひとえに例示であり、実際に、同一機能を達成する他の多数のアーキテクチャを実行することが可能であることが理解される。概念的な意味において、同一機能を達成するためのコンポーネントの配置構成は、所望の機能が達成されるように、有効に「関連付けられる」。よって、特定の機能を達成するように組み合わされた本明細書中の任意の２つのコンポーネントは、アーキテクチャまたは中間コンポーネントに関係無く、所望の機能が達成されるように相互に「関連付けられた」ものとしてみなすことが可能である。同様に、このように関連付けられた任意の２つのコンポーネントは、所望の機能が達成されるように、相互に「接続された」かまたは「連結された」ものとしてみなすこともでき、このように関連付けることが可能な任意の２つのコンポーネントも、相互に「連結可能である」ものとしてみなすことができる。連結可能なものの特定の例を非限定的に挙げると、物理的に噛合可能なおよび／または物理的に相互作用するコンポーネントおよび／または無線的に相互作用可能なおよび／または無線的に相互作用可能なコンポーネントおよび／または論理的に相互作用可能なおよび／または論理的に相互作用可能な相互作用可能なコンポーネントである。
【００７７】
本明細書中に記載の本発明の特定の局面について図示および記載してきたが、当業者にとって、本明細書中の教示を鑑みれば、本明細書中に記載の内容およびそのより広い局面から逸脱することなく変更および改変が可能であり、よって、添付の特許請求の範囲は、本明細書中に記載の内容の真なる意図および範囲内に収まるこのような変更および改変全てを包含することが明らかである。
【００７８】
本発明の特定の実施形態を例示してきたが、当業者であれば、上記開示の範囲および意図から逸脱することなく、多様な変更および本発明の実施形態を行うことが可能である。よって、本発明の範囲は、本明細書に添付された特許請求の範囲のみによって限定されるべきであることが明らかである。
【００７９】
本開示およびそれに付随する利点の多くは、上記の記載によって理解されることが考えられ、開示内容から逸脱することなくまたはその実質的利点全てを犠牲にすることなく、構成要素の形態、構成および配置において多様な変更が可能であることが明らかである。記載の形態はひとえに例示であり、以下の特許請求の範囲内に、このような変更が含まれる。
【００８０】
さらに、本発明は、添付の特許請求の範囲によって規定されることが理解される。
【図１】
2014502367.tif 000003
【図２】
2014502367.tif 000004
【図３】
2014502367.tif 000005
【図４】
2014502367.tif 000006
【国際調査報告】
2014502367.tif 000007
2014502367.tif 000008